(57)【要約】      （修正有）【課題】組立作業性に優れた正立等倍レンズアレイユニット及びこれを用いた画像読取装置を提供する。【解決手段】第１のレンズの光軸に対して垂直な方向に沿って複数の第１のレンズが配置された第１光学部材２と、複数の第２のレンズが配置された第２光学部材３と、第１光学部材２および第２光学部材３をそれぞれ収納する収納部４ａ，４ｂ、及び遮光部４ｃを有するハウジング部材４と、ハウジング部材４の上面開口を塞ぐカバー部材５とを備え、前記第１のレンズ、開口、及び第２のレンズは、光軸が重なるように配置された正立等倍レンズアレイユニットで、第２光学部材３は、第２のレンズが形成された面の両端および中央部に第２のレンズよりも高さが高い凸部を有し、第２光学部材３の中央部に設けた凸部に対向する位置においてハウジング部材４の遮光部４ｃの上面から突設した、カバー部材５の固定と凸部のガイドを兼ねたカバー部材固定部４ｅを有する。【選択図】図３
2014033379.tif 000002
【特許請求の範囲】
【請求項１】
第１のレンズを有し、この第１のレンズの光軸に対して垂直な方向に沿って複数の第１のレンズが配置された第１光学部材と、
前記第１のレンズのそれぞれと光軸が一致する複数の第２のレンズが配置された第２光学部材と、
前記第１光学部材および前記第２光学部材をそれぞれ収納する収納部、およびこれら収納部間を仕切りかつ前記第１のレンズのそれぞれの光軸に対応して開口が形成された遮光部を有するハウジング部材と、
前記ハウジング部材に冠着され、前記ハウジング部材の上面開口を塞ぐカバー部材と、を備え、
前記第１のレンズ、前記開口、および前記第２のレンズは、互いに光軸が重なるように配置された正立等倍レンズアレイユニットであって、
前記第２光学部材は、前記第２のレンズが形成された面の少なくとも両端および中央部に前記第２のレンズよりも高さが高い凸部を有し、
前記第２光学部材の中央部に設けた凸部に対向する位置において前記ハウジング部材の遮光部の上面から突設した、前記カバー部材の固定と前記凸部のガイドを兼ねたカバー部材固定部を有することを特徴とする正立等倍レンズアレイユニット。
【請求項２】
前記第１光学部材および前記第２光学部材が前記ハウジング部材に対して位置決めされるように、前記ハウジング部材の前記収納部の底面と、この底面に当接する前記第１光学部材および前記第２光学部材の面のうち、一方に複数の突起部を、他方に前記突起部が挿入される複数の穴部をそれぞれ有する請求項１に記載の正立等倍レンズアレイユニット。
【請求項３】
前記第１光学部材は、前記第１のレンズの光軸に対して垂直な方向に長尺の第１のレンズアレイが複数配列された第１のレンズアレイ列であり、
前記第２光学部材は、前記第１のレンズアレイ列に対応して、前記第２のレンズの光軸に対して垂直な方向に長尺の第２のレンズアレイが複数配列された第２のレンズアレイ列であり、
前記第２のレンズアレイはそれぞれ、前記第２のレンズが形成された面の少なくとも両端および中央部に前記第２のレンズよりも高さが高い凸部を有し、
前記ハウジング部材は、前記第２のレンズアレイごとに、前記第２のレンズアレイの中央部に設けた凸部に対向する位置において前記ハウジング部材の遮光部の上面から突設したカバー部材固定部を有する請求項１または２に記載の正立等倍レンズアレイユニット。
【請求項４】
前記ハウジング部材に対して位置決めされるように、前記ハウジング部材の前記収納部の底面と、この底面に当接する前記第１のレンズアレイまたは前記第２のレンズアレイの面のうち、一方に複数の突起部を、他方に前記突起部が挿入される複数の穴部をそれぞれ有する請求項３に記載の正立等倍レンズアレイユニット。
【請求項５】
請求項１〜４のいずれかに記載の正立等倍レンズアレイユニットを備える画像読取装置。
【発明の詳細な説明】
【技術分野】
【０００１】
本発明は、スキャナ、ファクシミリなどの画像読取装置に用いられる正立等倍レンズアレイユニットおよびこれを用いた画像読取装置に関する。
【背景技術】
【０００２】
スキャナ、ファクシミリなどの画像読取装置、またはＬＥＤプリンタなどの画像形成装置には、縮小光学系または正立等倍光学系が用いられる。特に、正立等倍光学系は、縮小光学系を用いる場合に比べて、装置全体の小型化が容易であるという利点を有する。
【０００３】
画像読取装置の場合、正立等倍結像光学系は、ライン状光源と、正立等倍レンズアレイユニットと、ラインイメージセンサとから構成される。正立等倍レンズアレイユニットとして、片面または両面に複数の微小レンズを規則的に配列した透明な平板状レンズアレイプレートを、個々のレンズの光軸が一致するように対向して配置した一対の正立等倍レンズアレイプレートが知られている。このような正立等倍レンズアレイプレートは、射出成型などの方法により形成できるため、比較的安価に製造することができ、レンズアレイプレートを長手方向に複数組み合わせることで種々のサイズに応じた正立等倍レンズアレイユニットを提供できる。
【０００４】
しかし、一対の正立等倍レンズアレイプレートは、その隣接したレンズ間に光線を隔離するための壁が無いため、正立等倍レンズアレイプレートに斜めに入射した光線が、プレート内部を斜めに進んで隣接した凸レンズに入り込み、出射してノイズ（ゴーストともいう）を形成するという迷光の問題があった。
そこで、特許文献１には、一対の正立等倍レンズアレイプレートの間に結像に寄与しない光を遮断する遮光部材を配置した正立等倍レンズアレイユニットが開示されている。
【先行技術文献】
【特許文献】
【０００５】
【特許文献１】特開２０１１‐１７８４０号公報
【発明の概要】
【発明が解決しようとする課題】
【０００６】
特許文献１に記載の正立等倍レンズアレイユニットは、遮光部材の把持部をピンセット等の把持治具で把持して、遮光部材の貫通孔に対応する凸レンズが嵌入されるように位置合わせを行いながら、レンズ面を傷付けないように第１レンズアレイプレート上に遮光部材を配置した後、この遮光部材上に第２レンズアレイプレートを配置し、これらを第１ボルダ部および第２ボルダ部で挟み込んで組立てられる。しかし、レンズ面を傷付けないように組立てるには、かなりの熟練を要すると共に、組立作業の効率が悪いという問題があった。
したがって、凸レンズを傷付けずに容易に精度よく組立てることができる、組立作業性に優れた正立等倍レンズアレイユニットが求められている。
【０００７】
そこで、本発明の課題は、組立作業性に優れた正立等倍レンズアレイユニットおよびこれを用いた画像読取装置を提供することである。
【課題を解決するための手段】
【０００８】
本発明者らは、上記課題を解決すべく鋭意検討を重ねた結果、本発明を完成するに至った。
すなわち、本発明は、以下のような構成を有する。
（１）第１のレンズを有し、この第１のレンズの光軸に対して垂直な方向に沿って複数の第１のレンズが配置された第１光学部材と、前記第１のレンズのそれぞれと光軸が一致する複数の第２のレンズが配置された第２光学部材と、前記第１光学部材および前記第２光学部材をそれぞれ収納する収納部、およびこれら収納部間を仕切りかつ前記第１のレンズのそれぞれの光軸に対応して開口が形成された遮光部を有するハウジング部材と、前記ハウジング部材に冠着され、前記ハウジング部材の上面開口を塞ぐカバー部材と、を備え、前記第１のレンズ、前記開口、および前記第２のレンズは、互いに光軸が重なるように配置された正立等倍レンズアレイユニットであって、前記第２光学部材は、前記第２のレンズが形成された面の少なくとも両端および中央部に前記第２のレンズよりも高さが高い凸部を有し、前記第２光学部材の中央部に設けた凸部に対向する位置において前記ハウジング部材の遮光部の上面から突設した、前記カバー部材の固定と前記凸部のガイドを兼ねたカバー部材固定部を有することを特徴とする正立等倍レンズアレイユニット。
（２）前記第１光学部材および前記第２光学部材が前記ハウジング部材に対して位置決めされるように、前記ハウジング部材の前記収納部の底面と、この底面に当接する前記第１光学部材および前記第２光学部材の面のうち、一方に複数の突起部を、他方に前記突起部が挿入される複数の穴部をそれぞれ有する前記（１）に記載の正立等倍レンズアレイユニット。
（３）前記第１光学部材は、前記第１のレンズの光軸に対して垂直な方向に長尺の第１のレンズアレイが複数配列された第１のレンズアレイ列であり、前記第２光学部材は、前記第１のレンズアレイ列に対応して、前記第２のレンズの光軸に対して垂直な方向に長尺の第２のレンズアレイが複数配列された第２のレンズアレイ列であり、前記第２のレンズアレイはそれぞれ、前記第２のレンズが形成された面の少なくとも両端および中央部に前記第２のレンズよりも高さが高い凸部を有し、前記ハウジング部材は、前記第２のレンズアレイごとに、前記第２のレンズアレイの中央部に設けた凸部に対向する位置において前記ハウジング部材の遮光部の上面から突設したカバー部材固定部を有する前記（１）または（２）に記載の正立等倍レンズアレイユニット。
（４）前記ハウジング部材に対して位置決めされるように、前記ハウジング部材の前記収納部の底面と、この底面に当接する前記第１のレンズアレイまたは前記第２のレンズアレイの面のうち、一方に複数の突起部を、他方に前記突起部が挿入される複数の穴部をそれぞれ有する前記（３）に記載の正立等倍レンズアレイユニット。
（５）前記（１）〜（４）のいずれかに記載の正立等倍レンズアレイユニットを備える画像読取装置。
【発明の効果】
【０００９】
本発明によれば、凸レンズを傷付けずに容易に精度よく正立等倍レンズアレイユニットを組み立てることができる。
【図面の簡単な説明】
【００１０】
【図１】（ａ）は本発明の一実施形態に係るレンズアレイユニットの斜視図であり、（ｂ）は（ａ）中のＸ方向から見たレンズアレイユニットの斜視図である。
【図２】（ａ）はレンズアレイユニット１の平面図であり、（ｂ）は側面図であり、（ｃ）は正面図であり、（ｄ）は底面図である。
【図３】レンズアレイユニット１の分解斜視図である。
【図４】（ａ）は第２のレンズアレイ３０の斜視図であり、（ｂ）は（ａ）中のＹ方向から見た第２のレンズアレイ３０の斜視図である。
【図５】（ａ）は第２のレンズアレイ３０の平面図であり、（ｂ）は側面図であり、（ｃ）は正面図であり、（ｄ）は底面図である。
【図６】ハウジング部材４へのカバー部材５の冠着方法を示す平面図である。
【図７】ハウジング部材４への第２のレンズアレイ３０の収納方法を示す斜視図である。
【図８】（ａ）、（ｂ）は、ハウジング部材への第２のレンズアレイの収納方法を示す断面図である。
【発明を実施するための形態】
【００１１】
以下、本発明の正立等倍レンズアレイユニット（以下、単にレンズアレイユニットという）の一実施形態であるレンズアレイユニット１について図面を参照して詳細に説明する。
【００１２】
＜レンズアレイユニット１＞
レンズアレイユニット１は、図１〜３に示すように、第１光学部材２と、第２光学部材３と、ハウジング部材４と、カバー部材５と、取付螺子６と、透明保護板７、視野絞り８とからなる。
【００１３】
このレンズアレイユニット１は、イメージスキャナ（図示せず）等における画像読取部に設けられるものであり、原稿（物体）からの入射光（画像情報）をラインセンサ（結像面）上に結像させるものであり、第１光学部材２は原稿側に、第２光学部材３はラインセンサ側となるように配置される。
【００１４】
（第１光学部材２）
第１光学部材２は、図３に示すように、平板状の第１のレンズアレイ２０が一列に３個配列された第１のレンズアレイ列である。
【００１５】
なお、レンズアレイユニット１では第１のレンズアレイ２０が３個配列された第１のレンズアレイ列を用いたが、本発明はこれに限定されず、１個の第１のレンズアレイからなる第１光学部材を用いてもよいし、第１のレンズアレイが一列に２個または４個以上配列された第１光学部材を用いてもよい。
【００１６】
第１のレンズアレイ２０は、図４および図５に示す第２のレンズアレイ３０と同じように、原稿からの入射光が入射する入射面と、入射面とは反対側でこの光が出射する出射面と、ハウジング部材４への収納状態で第１光学部材収納部４ａの底面と当接する下面と、この下面とは反対側に上面とを有する透明な平板状のプレートである。
【００１７】
第１のレンズアレイ２０の入射面には、第１のレンズの光軸方向（短手方向）に対して垂直な長手方向に沿って複数配列された微細な凸レンズ状の第１のレンズ（図示せず）を有する。この複数の第１のレンズは、光軸が互いに平行になるように姿勢が定められており、第１のレンズの光軸に対して垂直な方向に沿って互いに密着するように配置されている。
【００１８】
第１のレンズアレイ２０の出射面には、凸レンズは形成されておらず、この出射面は平面である。第１のレンズアレイ２０の下面には、後述する第２のレンズアレイ３０の下面の段差面３０ｅと同様な段差面（図示せず）を有し、さらにこの段差面上に後述する第２のレンズアレイ３０に示した突起部３０ｆと同様の突起部（図示せず）を有する。この段差面は、ハウジング部材４への収納状態で第１光学部材収納部４ａの底面と当接する部位であり、ハウジング部材４に対して第１のレンズアレイ２０を水平に当接させるために、ハウジング部材４の第１光学部材収納部４ａの底面に対して水平である。また、前記突起部は、後述するハウジング部材４の第１光学部材収納部４ａの底面に形成されている穴部４ｋに嵌合するように形成されている。
【００１９】
第１のレンズアレイ２０の上面には、後述する第２のレンズアレイ３０の上面の段差面３０ｇ，３０ｈ、把持部３０ｉと同様に、段差面、把持部を有する。この段差面は、第１のレンズアレイ列２０を収納したハウジング部材４にカバー部材５を冠着した状態でカバー部材５のハウジング部材側（以下、内側という場合がある）の押止部５ｃに押圧される部位であり、さらにこの段差面の第１のレンズアレイ２０の長手方向の周縁部は後述する第２のレンズアレイ３０の上面の段差面３０ｇ，３０ｈと同様に面取りされている。把持部は、ピンセットなどの把持治具で把持される部位である。
【００２０】
なお、レンズアレイユニット１では第１のレンズアレイ２０を用いたが、本発明はこれに限定されず、出射面が凸レンズまたは凹レンズである第１のレンズアレイ；上面に段差面を有しない第１のレンズアレイなどを用いてもよい。
【００２１】
このような第１のレンズアレイは、射出成形などにより形成される。第１のレンズアレイの材質としては、射出成形などで成形可能であり、かつ必要な波長領域の光に対して光透過性がよく、吸水性の低いものが好ましく、例えば、シクロオレフィン系樹脂、オレフィン系樹脂、ポリカーボネート系樹脂などが挙げられる。
【００２２】
（第２光学部材３）
第２光学部材３は、図３に示すように、平板状の第２のレンズアレイ３０が一列に３個配列された第２のレンズアレイ列である。
【００２３】
なお、レンズアレイユニット１では３個の第２のレンズアレイ３０が配列された第２のレンズアレイ列を用いたが、本発明はこれに限定されず、１個の第２のレンズアレイからなる第２光学部材を用いてもよいし、第２のレンズアレイが一列に２個または４個以上配列された第２光学部材を用いてもよいが、第１光学部材を構成する第１のレンズアレイの個数と同じ個数の第２のレンズアレイが一列に配列された第２光学部材を用いるのが好ましい。
【００２４】
第２のレンズアレイ３０は、図４，図５に示すように、第１のレンズアレイ２０から出射された光が入射する入射面と、入射面とは反対側でこの光が出射する出射面と、ハウジング部材４への収納状態で第２光学部材収納部４ｂの底面と当接する下面と、この下面とは反対側に上面とを有する透明な平板状のプレートである。
【００２５】
第２のレンズアレイ３０の入射面には、複数の第１のレンズのそれぞれと光軸が一致する複数の第２の内側レンズ３０ａと、両端および中央部に凸部３０ｂ，３０ｃとを有する。複数の第２の内側レンズ３０ａは、第１のレンズアレイと同様にして設けられ、複数の第２の内側レンズ３０ａは光軸が互いに平行になるように姿勢が定められている。凸部３０ｂ，３０ｃは、この入射面を遮光部４ｃに当接させながら第２のレンズアレイ３０を第２光学部材収納部４ｂに収納する際に、第２のレンズ３０ａが遮光部４ｃに当たらないように、すなわち第２のレンズ３０aの光軸方向（短手方向）の凸部３０ｂ，３０ｃの高さが第２のレンズアレイ３０の短手方向の第２のレンズ３０ａの高さよりも高くなるように、形成されている。これにより、第２のレンズ３０ａと遮光部４ｃとの干渉（擦れ）を防止し、第２のレンズ３０ａの光軸方向に生じる傷の発生を防止することができる。
第２光学部材収納部４ｂ側の凸部３０ｃは、後述するように、第２のレンズアレイ３０の入射面を遮光部４ｃに当接させながら、第２のレンズアレイ３０を収納する際に、凸部３０ｃが開口部４ｇに係入しにくい位置に形成されている。
【００２６】
第２のレンズアレイ３０の出射面には、図５に示すように、第２の外側レンズ３０ｄを有する。第２のレンズアレイ３０の下面には、段差面３０ｅを有し、さらにこの段差面３０ｅ上に突起部３０ｆを有する。この段差面３０ｅは、ハウジング部材４への収納状態で第２光学部材収納部４ｂの底面と当接する部位であり、ハウジング部材４に対して第２のレンズアレイ３０を水平に当接させるために、ハウジング部材４の第２光学部材収納部４ｂの底面に対して水平である。突起部３０ｆは、ハウジング部材４の第２光学部材収納部４ｂの底面の穴部４ｊに嵌合するように形成されている。
【００２７】
第２のレンズアレイ３０の上面には、段差面３０ｇ，３０ｈ、把持部３０ｉを有する。この段差面３０ｇ、３０ｈは、第２光学部材２を収納したハウジング部材４にカバー部材５を冠着した状態でカバー部材５の内側の押止部５ｃに押止される部位である。また、その周縁部３０ｋ、３０ｌ（図５（ａ）参照）は、面取りされている。これにより、図６に示すようにカバー部材５の嵌合穴５ａ内にカバー部材固定部４ｅを挿入してカバー部材５をハウジング部材４上に載置した後、カバー部材５をハウジング部材４に対してハウジング部材４の長手方向（図７中の矢印方向）にスライドさせてカバー部材５をハウジング部材４に冠着させる際、カバー部材５の内側の押圧部５ｃがスライドとともに段差面３０ｇ、３０ｈ上に移動し易くすることができる。さらに、第２のレンズアレイ３０の短手方向に対して垂直な長手方向の段差面３０ｇの幅Ａは、ハウジング部材４の長手方向のカバー部材固定部４ｅの幅Ｂと略同一幅である。これにより、第２のレンズアレイをハウジング部材に収納する際に、図７に示すように段差面３０ｇの第２のレンズアレイ３０の長手方向の両縁とカバー部材固定部４ｅのハウジング部材の長手方向の両縁とを合わせるようにすることで第２のレンズアレイ３０を収納する位置を容易に調整することができる。
把持部３０ｉは、ピンセットなどの把持治具で把持できるように上面から突設した突起部である。
【００２８】
なお、レンズアレイユニット１では第２のレンズアレイ３０を用いたが、本発明はこれに限定されず、出射面が凸レンズまたは凹レンズである第２のレンズアレイ；段差面３０ｇが形成されていない第２のレンズアレイなどを用いてもよい。
【００２９】
第２のレンズアレイ３０は、第１のレンズアレイと同様にして射出成形などにより形成される。
【００３０】
（ハウジング部材４）
ハウジング部材４は、図３に示すように、第１光学部材収納部４ａと、第２光学部材収納部４ｂと、第１遮光部４ｃと、第２遮光部４ｄと、カバー部材固定部４ｅと、スライド溝部４ｈとを有する一体成型体である。これにより、遮光部材とハウジング部材とを組み立てる必要がなく、少ない工程でレンズアレイユニットを組み立てることができる。
【００３１】
第１光学部材収納部４ａは第１光学部材２を収納する部位であり、第２光学部材収納部４ｂは第２光学部材３を収納する部位である。第１光学部材収納部４ａの底には各第１のレンズアレイ２０の下面の突起部が嵌合する穴部４ｊを有し、第２光学部材収納部４ｂの底には各第２のレンズアレイ３０の下面の突起部３０ｆが嵌合する穴部４ｋを有する。この穴部４ｊ、４ｋに、第１のレンズアレイ２０の下面の突起部、第２のレンズアレイ３０の下面の突起部３０ｆを嵌合させることで、第１のレンズアレイ２０の長手方向または第２のレンズアレイ３０の長手方向と、ハウジング部材４の長手方向とが平行な関係で、かつ第１のレンズ２０ａの光軸と、それに対応する開口部の中心線と、第２のレンズ３０ａの光軸とが互いに重なる位置関係となる。
【００３２】
第１遮光部４ｃは、図３に示すように、第１光学部材収納部４ａと第２光学部材収納部４ｂとの収納部間を仕切りかつ複数の第１のレンズの光軸に対応して開口部４ｇ（透光孔）が形成され、各第１のレンズから第２のレンズ３０ａに向けて貫通している。
第１遮光部４ｃは、第１のレンズアレイ２０の第１のレンズ内を進行する光が、このレンズとは同軸上にない第２のレンズアレイ３０の第２のレンズ３０ａ内に入射することを防止するための遮光機能（すなわち、隣接するレンズからの迷光の入射を防止する絞り開口）を有し、さらに、長手方向に複数の開口絞りが設けられることにより絞り機能を有する。このように第１遮光部４ｃは絞り機能と遮光機能を同時に達成しうる部材とすることでハウジング部材４の長手方向の長さを短くできる。
【００３３】
第１遮光部４ｃの開口部４ｇの内面には、光の反射を抑える処理や光を吸収する処理が施されてもよい。光の反射を抑制する処理として、例えば、サンドブラストなどにより表面を荒らすシボと呼ばれる処理や、表面をスクリュー状に加工することによって反射光線の進行を抑制する処理などが挙げられる。また、光を吸収する処理として、例えば、吸光塗料による内面の塗布などが挙げられる。
【００３４】
第２遮光部４ｄは、複数の第２の外側レンズ３０ｄの夫々の位置に対応して複数の開口４ｉが形成され、第２のレンズアレイ３０の出射面側に、第２レンズの光軸と直交して配置される。各開口４ｉは光を通過させるが、第２遮光部４ｄの各開口４ｉ以外の領域は第２のレンズアレイ３０から出射される光を遮光する。
【００３５】
カバー部材固定部４ｅは、図３に示すように、各第２のレンズアレイ３０の長手方向の中央部に設けた凸部３０ｂに対向する位置においてハウジング部材４の第１遮光部４ｃの上面に形成された基台部４ｆ上に突設され、カバー部材５の固定と、図７に示すように凸部３０ｂのガイドを兼ねた機能を有する。
【００３６】
スライド溝部４ｈは、図３に示すように、第２遮光部４ｄの外壁に形成され、カバー部材５の内側に形成された係合爪部（図示せず）が係合する部位である。
【００３７】
なお、レンズアレイユニット１ではハウジング部材４を用いたが、本発明はこれに限定されず、第１光学部材および第２光学部材をそれぞれ収納する収納部、これら収納部間に形成された遮光部、およびこの遮光部上に形成されたカバー部材固定部を有すればよく、例えば、ハウジング部材４から第２遮光部４ｄを取り除いたハウジング部材を用いてもよい。
【００３８】
このようなハウジング部材は、射出成形などにより形成される。ハウジング部材の材質としては、アクリル系樹脂、エポキシ系樹脂、ポリカーボーネート系樹脂、ポリエーテルエーテルケトン樹脂など射出成形用樹脂が使用できるが、レンズアレイに使用する樹脂と線膨張が同じか近い樹脂を使用するのが望ましく、例えばレンズアレイにシクロオレフィン系の樹脂を使用する場合にはポリカーボーネート系樹脂が好適に使用できる。
【００３９】
（カバー部材５）
カバー部材５は、カバー部材固定部４ｅを係止する嵌合穴５ａと、内面側に、押止部５ｃと、係合爪部（図示せず）とを有する。
【００４０】
嵌合穴５ａは、図６に示すように、その内周縁の一部に被係合部５ｂを有する。嵌合穴５ａは、カバー部材固定部４ｅに対応して設けられ、カバー部材固定部４ｅを嵌合穴５ａに挿入した後、カバー部材５をハウジング部材４に対してスライドさせてカバー部材固定部４ｅを係止する部位である。
押止部５ｃは、カバー部材の内側に設けられ、第１光学部材２および第２光学部材３を収納したハウジング部材４にカバー部材を冠着した状態で第１のレンズアレイ２０および第２のレンズアレイ３０の各々の上面の段差面を押圧して、第１のレンズアレイ列２および第２のレンズアレイ列３を押圧固定するものであり、第１のレンズアレイおよび第２のレンズアレイの各々の段差面に対応して設けられている。
係合爪部は、ハウジング部材４にカバー部材を冠着した状態でハウジング部材のスライド溝部４ｈに係合するものであり、スライド溝部４ｈに対応して設けられている。
【００４１】
このようなカバー部材は、射出成形などにより形成される。カバー部材の材質としては、前述したハウジングに使用される樹脂と同じものを使用することができる。
【００４２】
（取付螺子６）
取付螺子６は、カバー部材５を取付螺子６とハウジング部材４とで挟持し、カバー部材５を確実に固定するものである。これにより、レンズアレイユニット１を接着剤等を用いずに組み立てることができる。
取付螺子としては、公知の螺子を用いることができる。もちろん、取付螺子６を用いることなく接着剤で固定し組み立ててもよい。
【００４３】
（透明保護板７）
透明保護板７は、図１，２に示すように、第１のレンズを被覆するように配置され、物理的ダメージ等から第１のレンズを保護するものである。
このような透明保護板としては、例えば、透明樹脂板、ガラス板などが挙げられる。
なお、この透明保護板７は、本発明の光学ユニットの光学性能（結像）に直接影響を及ぼすものではないことから省略することもできる。
【００４４】
（視野絞り８）
視野絞り８は、読取光学系の視野領域を制限する光学部材である。図３に示したレンズアレイユニット１では、板状の部材８ａに所望の大きさを有する開口８ｂを、第２のレンズアレイ３０の出射側の外側レンズ３０ｄに対向する位置に一致するようにアレイ状に形成し、ハウジング部材４に取り付けている。なお、この視野絞り８は、その機能を満足する限り、出射側に代えて、入射側の第１のレンズアレイ２０の入射面に形成された第１のレンズに対向する位置に設けてもよい。
【００４５】
＜組立方法＞
以下、レンズアレイユニット１の一組立態様について説明するが、本発明はこれに限定されるものではない。
【００４６】
まず、ハウジング部材４に第２のレンズアレイ３０を収納する。
第２のレンズアレイ３０をハウジング部材４に収納するには、第２のレンズアレイ３０の把持部３０ｉを把持治具で把持して、図７に示すように、段差面３０ｇの第２のレンズアレイの長手方向の両縁と、カバー部材固定部４ｅのハウジング部材の長手方向の両縁とを合わせるようにして第２のレンズアレイのおおよその位置決めをする。次に、第２のレンズが第１遮光部４ｃなどと接触して傷付かないように、第２のレンズアレイ３０の凸部３０ｂをカバー部材固定部４ｅに、凸部３０ｃを第１遮光部４ｃにそれぞれ当接させる。そして、第２のレンズアレイを凸部３０ｂ，３０ｃと第１遮光部４ｃとを当接させながら第２光学部材収納部側に下げていき、第２のレンズアレイ３０の下面の突起部３０ｆを第２光学部材収納部４ｂの底面の穴部４ｊに嵌合させる。同様の操作を繰り返し、第２のレンズアレイ３０を一列に３個配列させ、第２光学部材（第２のレンズアレイ列）をハウジング部材４内に収納する。これにより、レンズを傷付けることなく、第２光学部材３（第２のレンズアレイ列）を第２光学部材収納部に収納することができる。
【００４７】
次に、第１のレンズアレイ２０をハウジング部材４に収納する。
第１のレンズアレイ２０をハウジング部材４に収納するには、第１のレンズアレイ２０の把持部を把持治具で把持して、第１のレンズアレイ２０の上面の段差面３０ｇの第２のレンズアレイの長手方向の両縁と、カバー部材固定部４ｅのハウジング部材の長手方向の両縁とを合わせるようにして第１のレンズアレイ２０のおおよその位置決めをする。次に、第１のレンズアレイ２０の出射面を第１遮光部４ｃに当接させながら、第１のレンズアレイ２０を第１光学部材収納部側に下げていき、第１のレンズアレイ２０の下面の突起部を第１光学部材収納部４ａの底面の穴部４ｋに嵌合させる。同様の操作を繰り返すことで、第１のレンズアレイ２０を一列に３個配列され、第１光学部材２（第１のレンズアレイ列）をハウジング部材４内に収納する。
【００４８】
ハウジング部材４に第１光学部材２および第２光学部材３を収納した後、ハウジング部材４にカバー部材５を冠着させる。
ハウジング部材４にカバー部材５を冠着させるには、図６に示すように、ハウジング部材４のカバー部材固定部４ｅがカバー部材５の嵌合穴５ａに挿入した状態となるようにハウジング部材上にカバー部材４を載置した後に、図６に示す矢印方向に、カバー部材５をハウジング部材４に対してスライドさせて、カバー部材固定部４ｅが被係合部５ｂに係合された状態にし、取付螺子６を螺着する。
【００４９】
以上のようにして、第２のレンズ３０ａを傷付けずにレンズアレイユニット１を容易に精度よく組立てることができる。
【００５０】
なお、上述したレンズアレイユニット１の一組立態様では、ハウジング部材４に第２光学部材３を収納した後に、第１収納部材２を収納する順であるが、ハウジング部材４に第１光学部材２を収納した後、第２収納部材３を収納する順としてもよい。
【００５１】
本発明の画像読取装置は、スキャナ、ファクシミリなどであり、上述したレンズアレイユニットを備えるものである。
なお、本発明の画像読取装置のレンズアレイユニット以外は、公知の部材を用いることができる。
【符号の説明】
【００５２】
１          レンズアレイユニット
２          第１光学部材
３          第２光学部材
４          ハウジング部材
５          カバー部材
６          取付螺子
７          透明保護板
８          視野絞り
２０        第１のレンズアレイ
３０        第２のレンズアレイ
【図１】
2014033379.tif 000003
【図２】
2014033379.tif 000004
【図３】
2014033379.tif 000005
【図４】
2014033379.tif 000006
【図５】
2014033379.tif 000007
【図６】
2014033379.tif 000008
【図７】
2014033379.tif 000009
【図８】
2014033379.tif 000010